(57)【特許請求の範囲】
【請求項１】
所定のデータとともに、キーコードが記録される記録媒体と、
前記記録媒体に対してデータを記録及び再生する記録再生装置とからなるデータ記録再生システムにおいて、
前記記録再生装置は、
データを提供する情報提供装置から伝送される前記データ及び前記キーコードを受信する受信手段と、
前記受信手段により受信されたキーコードを、前記記録媒体に記録すると共に、前記受信手段により受信されたデータを、前記キーコードに応じて発生される書き込みアドレスに従って、前記記録媒体に記録する記録制御手段と、
前記記録媒体から読み出された前記キーコードに応じて発生される読み出しアドレスに従って、前記記録媒体に記録された前記データの再生順序を制御する再生制御手段と
を備えることを特徴とするデータ記録再生システム。
【請求項２】
前記記録媒体は、メモリカードである
ことを特徴とする請求項１に記載のデータ記録再生システム。
【請求項３】
前記キーコードは、情報提供者毎に異なる
ことを特徴とする請求項１に記載のデータ記録再生システム。
【請求項４】
情報処理装置から受信装置にデータを放送する放送システムにおいて、
前記情報処理装置が、
前記データを蓄積する蓄積手段と、
前記蓄積手段に蓄積されるデータを前記受信装置に放送すると共に、所定のタイミングでキーコードを送信する放送手段とを備え、
前記受信装置が、
前記放送手段により放送されたデータ及び前記キーコードを受信する受信手段と、
前記受信手段により受信されたキーコードを記録媒体に記録すると共に、前記受信されたデータを、前記キーコードに応じて発生される書き込みアドレスに従って前記記録媒体に記録する記録制御手段と
を備えることを特徴とする放送システム。
【請求項５】
前記受信装置は、ユーザによりキーコードを入力可能な入力手段をさらに備え、
前記記録制御手段は、前記入力手段により入力されるキーコードと、前記受信されるキーコードとに応じて生成されるキーコードを前記記録媒体に記録する
ことを特徴とする請求項４に記載の放送システム。
【請求項６】
情報提供装置から受信装置にデータを放送する放送システムにおいて、
前記情報提供装置は、
前記データを蓄積する蓄積手段と、
前記蓄積手段に蓄積されるデータをスクランブルし、スクランブルデータを生成するスクランブルデータ生成手段と、
前記生成されたスクランブルデータを前記受信装置に放送すると共に、所定タイミングでキーコードを送信する放送手段とを備え、
前記受信装置は、
前記放送手段により放送されたスクランブルデータ及び前記キーコードを受信する受信手段と、
前記受信手段により受信されたスクランブルデータをデスクランブルし、前記デスクランブルされたデータを出力するデスクランブル手段と、
前記デスクランブル手段により出力されたデータを記録する記録手段と、
前記記録手段から前記データを読み出すと共に、前記受信手段により受信された前記キーコードを外部記録媒体に記録し、前記キーコードに応じて発生される書き込みアドレスに従って前記読み出されたデータを前記記録媒体に記録する記録制御手段と
を備えることを特徴とする放送システム。
【請求項７】
データを提供する情報提供装置から伝送されるデータ及びキーコードを受信する受信手段と、
前記受信手段により受信されたデータを記録する記録手段と、
前記記録手段から前記データを読み出す読み出し手段と、
外部メモリカード内のメモリに対して読み書きを制御する制御手段とを備え、
前記制御手段は、前記受信手段により受信された前記キーコードを前記外部メモリカード内のメモリの一部に記録すると共に、前記キーコードに応じて発生する書き込みアドレスに従って前記読み出し手段により前記記録手段から読み出された前記データを前記メモリの他部に記録する
ことを特徴とする記録装置。
【請求項８】
データを提供する情報提供装置から伝送されるデータ及びキーコードを受信する受信手段と、
前記受信手段により受信されたキーコードを、記録媒体に記録すると共に、前記受信手段により受信されたデータを、前記キーコードに応じて発生される書き込みアドレスに従って、前記記録媒体に記録する記録制御手段と、
前記記録媒体から読み出された前記キーコードに応じて発生される読み出しアドレスに従って、前記記録媒体に記録されたデータの再生順序を制御する再生制御手段と
を備えることを特徴とする記録再生装置。
【請求項９】
前記記録媒体は、メモリカードである
ことを特徴とする請求項８に記載の記録再生装置。
【請求項１０】
前記キーコードは、情報提供者毎に異なる
ことを特徴とする請求項８に記載の記録再生装置。
【発明の詳細な説明】
【０００１】
【発明の属する技術分野】
本発明は、例えば、新聞、雑誌、書籍など、毎日、あるいは定期的に配達、販売される、テキスト（文字）を中心とした情報を、衛星を用いて電子的に配信して記録媒体に記録し、これを再生する場合に用いて好適なデータ記録再生システム、放送システム、記録装置、並びに記録再生装置に関する。
【０００２】
【従来の技術】
新聞、雑誌、書籍等の情報は、紙に印刷された状態で配布されることが多い。また、近年、公衆電話網を用いたデータ通信技術の進歩に伴い、電子的な手段によりこれらの情報を配信することが可能になってきた。例えばパソコンを使って公衆電話網を経由して新聞等のデータベースにアクセスし、必要な情報を検索するオンラインサービスが広く行われている。
【０００３】
さらに、あらかじめサービスセンタと契約しておき、希望する新聞や雑誌の記事情報をファックスで配信してもらうというサービスも既に実用化されている。
【０００４】
しかしながら、紙による情報の配信は、以下のような問題点を有している。
（１）新聞を一紙読む、あるいは雑誌を一冊読む場合にはそれ程でもないが、複数の新聞、あるいは雑誌を読むという場合には量が大変かさばり、不便である。
（２）新聞を一家で一紙購読している場合、家族の人数が多くても、同時には一人しか読むことができず、不便である。
（３）紙を大量に消費するため、木材、パルプの消費量が多くなる。
（４）輸送、配達のために配達員を確保する必要があり、輸送コストが高くなる。
（５）輸送、配達に自動車、二輪車などが用いられ、排気ガスを発生することから、環境破壊のおそれがある。
【０００５】
また、電子的な方法による情報の配信は、センタのデータベースにアクセスする為のアクセス料が高く、しかも通信費も要するため、コストが大変高いものになり、一般の人が手軽に利用できるものではない。
【０００６】
さらに、ファックスを使って送信するという方法は、サービスセンタにおいて契約者毎に希望した記事情報を選択するという人手を多く要する作業が必要となる為に、やはり情報料が大変高いものになり、一般の人が手軽に利用できるものではなかった。
【０００７】
そこで、本出願人は、例えば特願平５−１１６４８０号として、テキストデータを衛星を介して電子的に受信者に伝送することを先に提案した。このシステムにおいては、受信側において受信したデータを記録媒体に記録し、所望のタイミングにおいて記録媒体を再生し、テキストデータをモニタなどにより見るようにする。
【０００８】
【発明が解決しようとする課題】
しかしながら、先の提案においては、記録媒体に記録されたデータがコピーされ、受信契約をしていない者により、テキストデータが読まれてしまう恐れがあった。
【０００９】
本発明はこのような状況に鑑みてなされたものであり、所定の者だけが記録情報を再生することができるようにするものである。
【００１０】
【課題を解決するための手段】
本発明のデータ記録再生システムは、記録再生装置が、データを提供する情報提供装置から伝送されるデータ及びキーコードを受信する受信手段と、受信手段により受信されたキーコードを、記録媒体に記録すると共に、受信手段により受信されたデータを、キーコードに応じて発生される書き込みアドレスに従って、記録媒体に記録する記録制御手段と、記録媒体から読み出されたキーコードに応じて発生される読み出しアドレスに従って、記録媒体に記録されたデータの再生順序を制御する再生制御手段とを備えることを特徴とする。
【００１１】
記録媒体は、メモリカードとすることができる。
本発明の第１の放送システムは、情報処理装置が、データを蓄積する蓄積手段と、蓄積手段に蓄積されるデータを受信装置に放送すると共に、所定のタイミングでキーコードを送信する放送手段とを備え、受信装置が、放送手段により放送されたデータ及びキーコードを受信する受信手段と、受信手段により受信されたキーコードを記録媒体に記録すると共に、受信されたデータを、キーコードに応じて発生される書き込みアドレスに従って記録媒体に記録する記録制御手段とを備えることを特徴とする。
前記受信装置は、ユーザによりキーコードを入力可能な入力手段をさらに備え、記録制御手段は、入力手段により入力されるキーコードと、受信されるキーコードとに応じて生成されるキーコードを記録媒体に記録することができる。
本発明の第２の放送システムは、情報提供装置が、データを蓄積する蓄積手段と、蓄積手段に蓄積されるデータをスクランブルし、スクランブルデータを生成するスクランブルデータ生成手段と、生成されたスクランブルデータを受信装置に放送すると共に、所定タイミングでキーコードを送信する放送手段とを備え、受信装置が、放送手段により放送されたスクランブルデータ及びキーコードを受信する受信手段と、受信手段により受信されたスクランブルデータをデスクランブルし、デスクランブルされたデータを出力するデスクランブル手段と、デスクランブル手段により出力されたデータを記録する記録手段と、記録手段からデータを読み出すと共に、受信手段により受信されたキーコードを外部記録媒体に記録し、キーコードに応じて発生される書き込みアドレスに従って読み出されたデータを記録媒体に記録する記録制御手段とを備えることを特徴とする。
本発明の記録装置は、データを提供する情報提供装置から伝送されるデータ及びキーコードを受信する受信手段と、受信手段により受信されたデータを記録する記録手段と、記録手段からデータを読み出す読み出し手段と、外部メモリカード内のメモリに対して読み書きを制御する制御手段とを備え、制御手段は、受信手段により受信されたキーコードを外部メモリカード内のメモリの一部に記録すると共に、キーコードに応じて発生する書き込みアドレスに従って読み出し手段により記録手段から読み出されたデータをメモリの他部に記録することを特徴とする。
本発明の記録再生装置は、データを提供する情報提供装置から伝送されるデータ及びキーコードを受信する受信手段と、受信手段により受信されたキーコードを、記録媒体に記録すると共に、受信手段により受信されたデータを、キーコードに応じて発生される書き込みアドレスに従って、記録媒体に記録する記録制御手段と、記録媒体から読み出されたキーコードに応じて発生される読み出しアドレスに従って、記録媒体に記録されたデータの再生順序を制御する再生制御手段とを備えることを特徴とする。
【００１２】
【作用】
上記構成のデータ記録再生システム、放送システム、記録装置、並びに記録再生装置においては、記録媒体から再生したキーコードに対応して、データの再生順序が制御される。従って、比較的簡単かつ確実に、キーコードを知らない者がデータを再生することを禁止することができる。
【００１３】
【実施例】
図１は、本発明を応用するデータ放送システムの構成例を示している。情報提供者としての新聞社は、大型計算機１を有している。この大型計算機１には、紙面データベースが蓄えられている。この紙面データベースには、新聞に印刷するための記事情報や、レイアウト情報などを含んでいる。このデータベースのデータは、必要に応じてワークステーション２に伝送され、そこにおいて編集される。
【００１４】
即ち、各紙面（ジャンル）毎に、受信側において最も検索し易い形に記事データを編集する。例えば、この編集により、レイアウトはそのままで、見出しだけが見える形で紙面がそのまま縮小された検索のための画面を作成する。さらにまた、この見出しから、それに対応する記事を表示することができるように、検索の画面（見出し）と、その詳細を記述した記事との関係付けが行われる。このように、受信側で検索し易い形態に編集したデータが、地上のデータ回線を介して放送センタ（放送局）３に伝送される。
【００１５】
放送センタ３は、伝送されてきたデータをスクランブルして、衛星４に伝送する。このスクランブルを行うために、放送センタ３は、例えば図２に示すようなスクランブル装置を有している。
【００１６】
即ち、図２に示すように、このスクランブル装置においては、初期値レジスタ２１に設定されている所定の初期値が、Ｍ系列発生器２２に供給されるようになされている。Ｍ系列発生器２２は、初期値レジスタ２１より所定の初期値がセットされると、この初期値から、ランダム系列のデータを発生する。このランダム系列のデータは、イクスクルーシブオア回路２３に供給され、情報提供者（新聞社）から伝送されてきた伝送すべきデータと排他的論理和の演算が行われる。これにより、伝送データがスクランブルされることになる。
【００１７】
放送センタ３から、このようにスクランブルされたデータが衛星４に伝送されると、衛星４は、このデータを各受信者に伝送する。
【００１８】
各受信者は、室外装値５により衛星４からの電波を受信し、データ受信装置６で受信したデータを復調する。データ受信装置６は、図２に示したスクランブル装置に対応するデスクランブル装置を内蔵しており、受信したデータをデスクランブルする。デスクランブルされたデータは、テレビジョン受像機１０に供給され、表示される。あるいはまた、記録装置７に供給され、内蔵する記録媒体としてのハードディスク、光磁気ディスクなどに記録される。そして、これらのハードディスクあるいは光磁気ディスクなどに記録されたデータは、さらに必要に応じてメモリカード８に転送し、記録することができる。
【００１９】
受信者は、ハードディスクあるいは光磁気ディスクなどに記録されたデータを再生し、テレビジョン受像機１０によりモニタすることができる。あるいはまた、メモリカード８を専用のビューア９に装着し、モニタすることができる。
【００２０】
記録装置７は、受信したデータをメモリカード８に対して記録または再生するために、図３に示すような構成を有している。ＣＰＵ３１は、ＲＯＭ３２に記憶されているプログラムに従って、メモリカード８に対する記録再生（書き込み、読み出し）動作を制御する。ＲＡＭ３３は、ＣＰＵ３１が各種の処理を実行する上において必要なデータなどを記憶する。アドレス発生器３４は、メモリカード８に対する書き込みアドレスおよび読み出しアドレスを発生する。入力部３５は、使用者により操作され、インタフェース３６を介して、操作に対応する指令をＣＰＵ３１に出力する。
【００２１】
アドレス発生器３４は、例えば図４に示すように構成されている。この実施例においては、アドレスカウンタ５１が出力する３２ビットのカウント値が、３２個のイクスクルーシブオア回路５４1乃至５４32に供給されるようになされている。イクスクルーシブオア回路５４1乃至５４32には、キーコードレジスタ５２が出力する３２ビットのキーコードも供給されている。イクスクルーシブオア回路５４1乃至５４32は、アドレスカウンタ５１の出力とキーコードレジスタ５２の出力との排他的論理和を演算し、アドレスレジスタ５３に出力する。アドレスレジスタ５３にラッチされたデータが、書き込みアドレスまたは読み出しアドレスとして、メモリカード８に供給されるようになされている。
【００２２】
次に、メモリカード８に対する記録再生の動作について説明する。各受信者は、受信を希望する情報を提供する情報提供者としての新聞社、雑誌者などと個々に契約を行う。情報提供者は、各受信契約者に対して、スクランブルされたデータをデスクランブルするためのキーコードとして、例えば図２における初期値レジスタ２１に設定する、Ｍ系列のデータを発生するための初期値データを、所定のタイミングで、衛星４を介してデータ受信装置６に伝送する。データ受信装置６は、受信したキーコードを、内蔵する不揮発性メモリに記憶させる。そして、このキーコードは、記録装置７のＲＡＭ３３に転送され、記憶される。さらにまた、このキーコードは、ＲＡＭ３３から読み出され、メモリカード８の所定の領域に転送され、記憶される。
【００２３】
即ち、メモリカード８は、図５に示すように、その記憶領域の最初の３２ビットに、新聞、雑誌、書籍などの記録するデータの種類に対応するコードが書き込まれ、次の３２ビットには、その新聞、雑誌、書籍などの情報を提供する会社Ａ乃至Ｇに対応するコードが記録される。そして、さらに、その次の３２ビットに、上述したＭ系列の初期値としてのキーコードが記録されるように、そのフォーマットが規定されている。
【００２４】
ＣＰＵ３１は、メモリカード８の最初の９６ビットにデータを記録するとき、アドレス発生器３４のキーコードレジスタ５２に、３２ビットがすべて０のデータをセットさせる。このため、アドレスカウンタ５１がカウント動作を行った結果発生する１，２，３，４，５，・・・などの１ずつインクリメントする値が、３２個のイクスクルーシブオア回路５４1乃至５４32を介して、そのままアドレスレジスタ５３に供給される。従って、このアドレスレジスタ５３にラッチされるアドレスは、アドレスカウンタ５１が発生する、１ずつインクリメントされるデータそのものとなる。このようにして、メモリカード８の最初の９６ビットに、図５に示した特定のコードを書き込むことができる。
【００２５】
次にＣＰＵ３１は、メモリカード８の上記した最初の９６ビット以外の領域にデータを書き込むとき、メモリカード８の第３番目の３２ビットの領域に書き込んだキーコードを読み出し、アドレス発生器３４のキーコードレジスタ５２に転送し、記憶させる。その結果、アドレスカウンタ５１が、１ずつインクリメントして発生するデータは、イクスクルーシブオア回路５４1乃至５４32により、キーコードレジスタ５２にラッチしたキーコードとの排他的論理和が演算されるため、ランダムな（必ずしも１ずつインクリメントする値ではない）アドレスデータとなる。従って、ハードディスクや光磁気ディスクから転送されてきた正しい時系列のデータが、メモリカード８のスクランブルされた領域上に書き込まれることになる。
【００２６】
次に、メモリカード８に書き込まれたデータを読み出す場合の動作について説明する。尚、この読み出しの動作は、メモリカード８をビューア９に装着して行う場合も同様となる。
【００２７】
入力部３５を操作して、メモリカード８の再生が指令されると、ＣＰＵ３１は、最初に、キーコードレジスタ５２に、３２ビットがすべて０のデータをセットし、アドレスカウンタ５１に所定の値を発生させ、その値をそのままアドレスレジスタ５３に転送させる。これにより、図５に示したメモリカード８の第３番目の３２ビットのキーコードが記録されている領域に対応する読み出しアドレスを発生させる。従って、そこに記録されているキーコードが読み出される。
【００２８】
ＣＰＵ３１は、このようにして読み出したキーコードをＲＡＭ３３に転送し、記憶させる。そして、アドレスカウンタ５１が９６以上の値を出力するとき、ＲＡＭ３３に記憶したキーコードを読み出し、キーコードレジスタ５２に記憶させる。その結果、アドレスカウンタ５１が出力する、１ずつインクリメントするデータは、キーコードレジスタ５２に記憶したキーコードと、イクスクルーシブオア回路５４1乃至５４32において排他的論理和が演算され、ランダムな読み出しアドレスとなる。但し、この読み出しアドレスは、書き込み時において発生されたアドレスに対応しているため、ランダムなアドレスに記憶されているデータを元の時系列の順番に戻して読み出すことができる。
【００２９】
読み出したデータは、データ受信装置６を介してテレビジョン受像機１０に供給され、表示される。メモリカード８がビューア９に装着されている場合においては、ビューア９に設けられているモニタに出力され、表示される。
【００３０】
一方、このメモリカード８を、データ受信装置６により受信したデータを再生する専用の（正規の）ビューア９以外の再生装置により再生すると、このような再生装置には、図４に示したキーコードレジスタ５２が設けられていないため、アドレスカウンタ５１が順次１ずつインクリメントして発生する読み出しアドレスにより指定される領域からのデータが順次再生される。しかしながら、上述したように、このメモリカード８（正規のメモリカード８）においては、アドレスの順番とデータの書き込みの順番とが一致していない。このため、データを正しく再生することができなくなる。
【００３１】
また、キーコードが記録されていないメモリカード（正規ではないメモリカード）を、正規の記録装置７あるいはビューア９に装着し、再生したとしても、キーコードレジスタ５２に正しいキーコードを設定することができないために、データを正しく再生することができない。
【００３２】
このように、メモリカード８またはビューア９のうち、少なくとも一方が正規のものでない場合においては、記憶データを正しく再生することができなくなる。
【００３３】
以上の実施例においては、メモリカード８の所定の領域に記憶されているキーコードを、キーコードレジスタ５２に設定させるようにしたが、各受信者に、例えば手紙などでキーコードを通知し、使用者に入力部３５を操作させ、そのキーコードをＲＡＭ３３に記憶させるようにすることもできる。この場合、ＣＰＵ３１は、メモリカード８より読み出したキーコードと、ＲＡＭ３３より読み出したキーコードとの排他的論理和を演算し、その演算結果をキーコードレジスタ５２に設定する。このようにすれば、両方のキーコードが一致した場合にのみ、正しいキーコードがキーコードレジスタ５２に設定される。
【００３４】
従って、メモリカード８と記録装置７が両方とも正規の装置であったとしても、それが、契約対象とされている情報提供者以外の情報提供者の情報を再生するための装置である場合においては、各情報提供者毎にキーコードが異なっているため、メモリカード８に記憶されているデータを正しく再生することができなくなる。
【００３５】
尚、上記したキーコードは、Ｍ系列の初期値以外に任意の値を用いるようにすることもできる。
【００３６】
さらに、上記した実施例においては、デスクランブルした後のデータをメモリカード８に記憶させるようにしたが、デスクランブルする前のデータをメモリカード８に記憶させるようにすることもできる。勿論、この場合においては、メモリカード８より読み出したデータをデスクランブルするための装置を、記録装置７あるいはビューア９に設ける必要がある。
【００３７】
さらにまた、上記実施例においては、キーコードをメモリカード８の第３番目の３２ビットの領域に記憶させるようにしたが、データの種類およびデータの提供者を表すコードの中に、このキーコードを含めさせることも可能である。また、メモリカード以外の記録媒体を用いる場合にも、本発明を適用することが可能である。
【００３８】
以上、本発明を新聞データを伝送する場合を例として説明したが、雑誌、書籍、その他のキャラクタデータを伝送する場合にも、本発明は応用することが可能である。さらにまた、キャラクタデータ以外に、イメージデータや音声データを同時に伝送することも可能である。
【００３９】
【発明の効果】
以上の如く本発明のデータ記録再生システム、放送システム、記録装置、並びに記録再生装置によれば、記録媒体から再生したキーコードに対応して、データの再生順序を制御するようにしたので、正規のものでない記録媒体や再生装置により、データが再生されることを禁止することが可能となる。また、契約していない情報提供者から供給される情報の再生も、禁止することが可能となる。
【図面の簡単な説明】
【図１】本発明を応用したデータ放送システムの構成を示すブロック図である。
【図２】図１の放送センタ３が有するスクランブル装置の構成例を示すブロック図である。
【図３】図１の記録装置７の構成例を示すブロック図である。
【図４】図３のアドレス発生器３４の構成例を示すブロック図である。
【図５】図１のメモリカード８のフォーマットを説明する図である。
【符号の説明】
１  大型計算機
２  ワークステーション
３  放送センタ
４  衛星
５  室外装置
６  データ受信装置
７  記録装置
８  メモリカード
９  ビューア
１０  テレビジョン受像機
【図１】
0003658749.tif 000002
【図２】
0003658749.tif 000003
【図３】
0003658749.tif 000004
【図４】
0003658749.tif 000005
【図５】
0003658749.tif 000006